(57)【要約】  複数の一方向吸気弁（１１２、１１４）を介して空洞部（１２０）と選択的に連通する吸気室（１０４）と、複数の一方向排気弁（１１６、１１８）を介して空洞部（１２０）と選択的に連通する排気室（１０６）とを画定するケーシング（１０２）を有する多連弁コンプレッサヘッド（１００）が開示される。ケーシング（１０２）は、吸気室（１０４）内への気体の流入のための入口ポート（１０８）と、圧縮気体を排気室（１０６）から押し出すための出口ポート（１１０）とをさらに画定する。動作中、多連弁コンプレッサヘッド（１００）は、往復運動するダイヤフラムと動作可能に係合し、これにより、ダイヤフラムの吸気工程の間、気体を吸気室（１０４）、次いで空洞部（１２０）内に吸い込み、さらに、ダイヤフラムの排気工程の間、空洞部（１２０）から、そして出口ポート（１１０）を通って圧縮気体を排出する。
2014525543.tif 000002
【特許請求の範囲】
【請求項１】
コンプレッサヘッド（１００）であって、
空洞部（１２０）を介して排気室（１０６）と選択的に流体連通する吸気室（１０４）を画定する本体（１０２）と、
前記吸気室（１０４）から前記空洞部（１２０）へ一方向の気体の流れを可能にするために前記吸気室（１０４）と前記空洞部（１２０）との間に配置される複数の一方向吸気弁（１１２、１１４）と、
前記空洞部（１２０）から前記排気室（１０６）へ一方向の気体の流れを可能にするために前記排気室（１０６）と前記空洞部（１２０）との間に配置される複数の一方向排気弁（１１６、１１８）と、
前記吸気室（１０４）内へ気体の流入を可能にするために前記吸気室（１０４）と連通する入口ポート（１０８）と、
前記排気室（１０６）から圧縮気体の排出を可能にするために前記排気室（１０６）と連通する出口ポート（１１０）とを備える、コンプレッサヘッド（１００）。
【請求項２】
前記複数の一方向吸気弁（１１２、１１４）のそれぞれが、
第１の開放端（１４６）と第２の開放端（１４８）とを有する複数の導管（１４４）を画定する本体を備え、前記第２の開放端（１４８）が、一方の方向の流体連通を阻止するためにフラッパ部（１３６）に係合されるように構成され、また、反対の方向の流体連通を可能にするために前記フラッパ部（１３６）から少なくとも部分的に離れるように構成される、
請求項１に記載のコンプレッサヘッド（１００）。
【請求項３】
前記複数の導管（１４４）の前記第１の開放端（１４６）から前記第２の開放端（１４８）へ流体連通が可能とされる、請求項２に記載のコンプレッサヘッド（１００）。
【請求項４】
前記フラッパ部（１３６）によって、前記複数の導管（１４４）の前記第２の開放端（１４８）から前記第１の開放端（１４６）への流体連通が阻止される、請求項２に記載のコンプレッサヘッド（１００）。
【請求項５】
前記複数の一方向排気弁（１１６、１１８）のそれぞれが、
第１の開放端（１４７）と第２の開放端（１４９）とを有する複数の導管（１４５）を画定する本体を備え、前記第２の開放端（１４９）が、一方の方向の流体連通を阻止するためにフラッパ部（１３８）に係合されるように構成され、および、反対の方向の流体連通を可能にするために前記フラッパ部（１３８）から少なくとも部分的に離れるように構成される、請求項１に記載のコンプレッサヘッド（１００）。
【請求項６】
前記複数の導管（１４５）の前記第１の開放端（１４７）から前記第２の開放端（１４９）へ流体連通が可能とされる、請求項５に記載のコンプレッサヘッド（１００）。
【請求項７】
前記フラッパ部（１３８）によって、前記複数の導管（１４５）の前記第２の開放端（１４９）から前記第１の開放端（１４７）への流体連通が阻止される、請求項５に記載のコンプレッサヘッド（１００）。
【請求項８】
前記出口ポート（１１０）からの前記気体流が、毎分４リットルから毎分９０リットルの範囲にある、請求項１に記載のコンプレッサヘッド（１００）。
【請求項９】
前記複数の一方向吸気弁（１１２、１１４）のそれぞれに係合される前記フラッパ部（１３６）が前記空洞部（１２０）と連通するように、前記複数の一方向吸気弁（１１２、１１４）が方向付けられる、請求項２に記載のコンプレッサヘッド（１００）。
【請求項１０】
前記複数の一方向排気弁（１１６、１１８）のそれぞれに係合される前記フラッパ部（１３８）が前記排気室（１０６）と連通するように、前記複数の一方向排気弁（１１６、１１８）が方向付けられる、請求項５に記載のコンプレッサヘッド（１００）。
【請求項１１】
前記出口ポート（１１０）が、第１の封止要素（１２２）を係合するように構成される凹部（１２１）を含む、請求項１に記載のコンプレッサヘッド（１００）。
【請求項１２】
前記入口ポート（１０８）が、第２の封止要素（１２２）を係合するように構成される凹部（１２１）を含む、請求項１に記載のコンプレッサヘッド（１００）。
【請求項１３】
前記空洞部（１２０）が、前記流体を圧縮するためのダイヤフラムを係合するように構成される、請求項１に記載のコンプレッサヘッド（１００）。
【請求項１４】
前記ダイヤフラムが、前記流体を前記吸気室（１０４）から前記複数の一方向吸気弁（１１２、１１４）を介して前記空洞部（１２０）内に吸い込むために、前記空洞部（１２０）に対して往復運動で動く、請求項１３に記載のコンプレッサヘッド（１００）。
【請求項１５】
前記ダイヤフラムが、前記空洞部（１２０）に対して往復運動で動いて、前記流体を前記空洞部（１２０）から前記複数の一方向排気弁（１１６、１１８）を介して前記排気室（１０６）内に強制する、請求項１４に記載のコンプレッサヘッド（１００）。
【請求項１６】
コンプレッサヘッド（１００）であって、
空洞部（１２０）を介して排気室（１０６）と選択的に流体連通する吸気室（１０４）を画定する本体（１０２）と、
前記吸気室（１０４）から前記空洞部（１２０）へ一方向の気体の流れを可能にするために前記吸気室（１０４）と前記空洞部（１２０）との間に配置される一組の一方向吸気弁（１１２、１１４）と、
前記空洞部（１２０）から前記排気室（１０６）へ一方向の気体の流れを可能にするために前記排気室（１０６）と前記空洞部（１２０）との間に配置される一組の一方向排気弁（１１６、１１８）と、
前記吸気室（１０４）内へ気体の流入を可能にするために前記吸気室（１０４）と連通する入口ポート（１０８）と、
前記排気室（１０６）から圧縮気体の排出を可能にするために前記排気室（１０６）と連通する出口ポート（１１０）と
を備える、コンプレッサヘッド（１００）。
【請求項１７】
前記一組の一方向吸気弁（１１２、１１４）のそれぞれが、
第１の開放端（１４６）と第２の開放端（１４８）とを有する複数の導管（１４４）を画定する本体を備え、前記第２の開放端（１４８）が、一方の方向の流体連通を阻止するために閉位置に付勢された弁（１３６）に係合されるように構成され、および、反対の方向の流体連通を可能にするために前記閉位置に付勢された弁（１３６）から少なくとも部分的に離れるように構成される、請求項１６に記載のコンプレッサヘッド（１００）。
【請求項１８】
前記一組の一方向排気弁（１１６、１１８）のそれぞれが、
第１の開放端（１４７）と第２の開放端（１４９）とを有する複数の導管（１４５）を画定する本体を備え、前記第２の開放端（１４９）が、一方の方向の流体連通を阻止するために閉位置に付勢された弁（１３８）に係合されるように構成され、および、反対の方向の流体連通を可能にするために前記閉位置に付勢された弁（１３８）から少なくとも部分的に離れるように構成される、請求項１６に記載のコンプレッサヘッド（１００）。
【請求項１９】
コンプレッサヘッド（１００）の使用方法であって、
コンプレッサヘッド（１００）を提供することであって、
空洞部（１２０）を介して排気室（１０６）と選択的に流体連通する吸気室（１０４）を画定する本体（１０２）と、
前記吸気室（１０４）から前記空洞部（１２０）へ一方向の気体の流れを可能にするために前記吸気室（１０４）と前記空洞部（１２０）との間に配置される複数の一方向吸気弁（１１２、１１４）と、
前記空洞部（１２０）から前記排気室（１０６）へ一方向の気体の流れを可能にするために前記排気室（１０６）と前記空洞部（１２０）との間に配置される複数の一方向排気弁（１１６、１１８）と、
前記吸気室（１０４）内へ気体の流入を可能にするために前記吸気室（１０４）と連通する入口ポート（１０８）と、
前記排気室（１０６）から圧縮気体の排出を可能にするために前記排気室（１０６）と連通する出口ポート（１１０）と
を備えるコンプレッサヘッド（１００）を提供することと、
気体を前記入口ポート（１０８）内に吸い込むことと、
圧縮状態にある前記気体を前記出口ポート（１１０）を介して排出させることと
を備える、コンプレッサヘッド（１００）の使用方法。
【請求項２０】
毎分４リットルから毎分９０リットルまでの範囲の流体が、前記コンプレッサヘッド（１００）を通って流れる、請求項１９に記載の方法。
【請求項２１】
前記コンプレッサヘッド（１００）が、往復運動するダイヤフラムと動作可能に連動し、前記ダイヤフラムが、前記ダイヤフラムの吸気工程の間、前記気体を前記入口ポート（１０８）内に吸い込み、前記ダイヤフラムの排気工程の間、圧縮状態にある前記気体を前記出口ポート（１１０）から排出させる、請求項１９に記載の方法。
【請求項２２】
コンプレッサヘッド（１００）の製造方法であって、
吸気室（１０４）と排気室（１０６）とを有するケーシング（１０２）を形成することと、
前記吸気室（１０４）と連通する入口ポート（１０８）と、前記排気室（１０６）と連通する出口ポート（１１０）とを形成することと、
前記吸気室と前記排気室（１０６）との間に一組の一方向排気弁（１１２、１１４）を形成することと、
前記吸気室（１０４）と前記排気室（１０６）との間に一組の一方向排気弁（１１６、１１８）を形成することと
を備える、コンプレッサヘッド（１００）の製造方法。
【請求項２３】
前記ケーシング（１０２）を形成することが、フライス加工プロセス、成形プロセス、およびダイキャストプロセスのうちの少なくとも１つを用いることを備える、請求項２２に記載の方法。
【発明の詳細な説明】
【技術分野】
【０００１】
本明細書は、多連弁ヘッドに関し、具体的には、人工呼吸器システムで使用されるコンプレッサ装置のための多連弁ヘッドに関する。
【背景技術】
【０００２】
医学の分野において、機械式呼吸は、人工呼吸器と呼ばれる機械を用いて患者の自発呼吸を機械的に補助したり代替したりする方法である。人工呼吸器は、患者の仕様に合うように制御された方法で、気体を吸い込み、そして患者に圧縮気体を送達するコンプレッサ装置を含むこともある。特に、コンプレッサ装置は、気体を吸い込む１つまたは２つ以上のヘッドを含んでいてもよく、患者へ送達するための圧縮気体を生成するために、気体は、ヘッドの空洞部に対して往復運動で駆動されるダイヤフラムによって圧縮される。図１Ａおよび図１Ｂに示されるように、圧縮気体を生成するためにコンプレッサ装置（図示せず）とともに用いられる従来技術のコンプレッサヘッド１０は、吸気室１４と連通する入口ポート１８を介して空気、酸素または異なる気体の混合物などの気体を吸い込むための吸気室１４を画定する本体１２を含んでいてもよい。吸気室１４は、本体１２の反対側に画定される空洞部１９と、吸気弁２２を介して選択的に連通する。空洞部１８は、吸気室１４に隣接して画定される排気室１６と連通する排気弁２４をさらに含み、このことにより、患者に送達するために、従来技術のコンプレッサヘッド１０の出口ポート２０を介して圧縮気体を排出できるようにしている。さらに示されるように、吸気弁２２は、吸気室１４と連通する複数の開口部４０を有する開放吸気側２６と、空洞部１９と連通する可撓性フラッパ３４を有する排気側３２とを含む。同様に、排気弁２４は、複数の開口部３８を有する開放吸気側３０と、排気室１６と連通する可撓性フラッパ３６を有する排気側２８とを含む。この構成では、空洞部１９と連通するダイヤフラム（図示せず）は、往復運動で駆動されて、ダイヤフラムが空洞部１９から離れる際に、吸気室１４の吸気弁２２を介して、気体を吸い込み、次いで、ダイヤフラムが空洞部１９に近づく際に、空洞部１９から排気弁２４を介して、出口ポート２０を出る圧縮気体を排出する。さらに示されるように、図１Ａおよび図１Ｂの気体流Ａは、気体が入口ポート１８に入り、圧縮気体が出口ポート２０を通って出るときの、コンプレッサ装置ヘッド１０を通る気体の流れを示している。
【発明の概要】
【発明が解決しようとする課題】
【０００３】
コンプレッサ装置のための単一の吸気および排気弁構成を有する従来技術のコンプレッサヘッドは、その意図される目的を満足することが証明されているが、依然として、より大きな出力を達成しながらもより少ない消費電力のコンプレッサ装置ヘッドの要望がある。
【課題を解決するための手段】
【０００４】
一実施形態では、コンプレッサヘッドは、空洞部を介して排気室と選択的に流体連通する吸気室を画定する本体を含んでいてもよい。複数の一方向吸気弁は、吸気室から空洞部へ一方向の気体の流れを可能にするために吸気室と空洞部との間に配置され、他方、複数の一方向排気弁は、空洞部から排気室へ一方向の気体の流れを可能にするために排気室と空洞部との間に配置されてもよい。入口ポートは、吸気室内に流体の流入を可能にするために吸気室と連通し、また出口ポートは、排気室から圧縮気体の流出を可能にするために排気室と連通する。
【０００５】
別の実施形態では、コンプレッサヘッドは、空洞部を介して排気室と選択的に流体連通する吸気室を画定する本体を含んでいてもよい。一組の一方向吸気弁は、吸気室から空洞部へ一方向の気体の流れを可能にするために吸気室と空洞部との間に配置される。加えて、一組の一方向排気弁は、空洞部から排気室へ一方向の気体の流れを可能にするために排気室と空洞部との間に配置されてもよい。入口ポートは、吸気室内に気体の流入を可能にするために吸気室と連通し、また出口ポートは、排気室から圧縮気体の流出を可能にするために排気室と連通する。
【０００６】
さらに別の実施形態では、コンプレッサヘッドを使用するための方法は、空洞部を介して排気室と選択的に流体連通する吸気室を画定する本体を有するコンプレッサヘッドを提供するステップを含んでいてもよい。複数の一方向吸気弁は、吸気室から空洞部へ一方向の気体の流れを可能にするために吸気室と空洞部との間に配置されてもよく、他方、複数の一方向排気弁は、空洞部から排気室へ一方向の気体の流れを可能にするために排気室と空洞部との間に配置されてもよい。入口ポートは、吸気室内に気体の流入を可能にするために吸気室と連通し、また出口ポートは、排気室から圧縮気体の流出を可能にするために排気室と連通する。一部の実施形態では、方法は、気体を入口ポート内に吸い込むステップと、次いで、圧縮状態の気体を、毎分４リットルから毎分９０リットルまでの範囲の流量で、コンプレッサヘッドの出口ポートを介して排出させるステップとをさらに含んでもよい。
【０００７】
さらなる実施形態では、多連弁コンプレッサヘッドの製造方法は、
吸気室と排気室とを有するケーシングを形成するステップと、
吸気室と連通する入口ポートと、排気室と連通する出口ポートとを形成するステップと、
吸気室と排気室との間に一組の一方向排気弁を形成するステップと、
吸気室と排気室との間に一組の一方向排気弁を形成するステップとを含んでいてもよい。
【０００８】
さらなる目的、利点および新規な特徴は、以下の記述において説明され、以下の図面および詳細な説明を検討すれば当業者には明らかになる。
【図面の簡単な説明】
【０００９】
【図１Ａ】コンプレッサ装置のための従来技術の弁コンプレッサヘッドの頂部側を示す概略図である。
【図１Ｂ】コンプレッサ装置のための従来技術の弁コンプレッサヘッドの底部側を示す概略図である。
【図２】コンプレッサ装置のための多連弁コンプレッサヘッドの一実施形態を示す俯瞰する斜視図である。
【図３】コンプレッサ装置のための多連弁コンプレッサヘッドの反対側を俯瞰する斜視図である。
【図４】コンプレッサ装置のための多連弁コンプレッサヘッドの上面図である。
【図５】コンプレッサ装置のための多連弁コンプレッサヘッドの底面図である。
【図６】コンプレッサ装置のための多連弁コンプレッサヘッドの側面図である。
【図７】コンプレッサ装置のための多連弁コンプレッサヘッドの反対側の側面図である。
【図８】コンプレッサ装置のための多連弁コンプレッサヘッドの図２の線８−８による断面図である。
【図９】コンプレッサ装置のための多連弁コンプレッサヘッドの図２の線９−９による断面図である。
【図１０】コンプレッサ装置のための多連弁コンプレッサヘッドの製造方法を示す流れ図である。
【図１１】コンプレッサ装置のための多連弁コンプレッサヘッドの使用方法を示す流れ図である。
【発明を実施するための形態】
【００１０】
図面を見る際、対応する参照符号は、対応する要素を指す。図面に用いられる見出しは、特許請求の範囲を限定するものと解釈されるべきではない。
【００１１】
医学の分野において、機械式呼吸は、人工呼吸器と呼ばれる機械を用いて患者の自発呼吸を機械的に補助したり代替したりする方法である。人工呼吸器は、患者の状態に合うように制御された方法で、気体を吸い込み、そして次いで患者に圧縮気体を送達するコンプレッサ装置を含むこともある。特に、コンプレッサ装置は、気体を吸い込む１つまたは２つ以上のヘッドを含んでいてもよく、人工呼吸器を介して患者へ送達するための圧縮気体を生成するために、気体は、ヘッドの空洞部に対して往復運動で駆動されるダイヤフラムによって圧縮される。各個々のコンプレッサヘッドは、吸気室から空洞部内への一方向の流体の流れを可能にするための単一の吸気弁と、空洞部から排気室内への一方向の流体の流れを可能にするための単一の排気弁とを含んで、コンプレッサヘッドから人工呼吸器の出力に気体を排出する。しかしながら、従来技術のコンプレッサヘッドの単一の吸気および排気弁構成では、人工呼吸器の効率および全流量出力に限りがあることが分かっている。
【００１２】
このことから、本明細書において説明されるような多連弁コンプレッサヘッドの実施形態は、以下により詳細に説明するように、コンプレッサヘッドの効率および全流量出力の改善に関する問題に対処する特定の構成要素、特性および性質を含む。
【００１３】
図面を参照すると、多連弁コンプレッサヘッドの様々な実施形態は、図１から図９において示され、総じて１００として表記されている。概して、多連ヘッドコンプレッサヘッド１００は、多連弁コンプレッサヘッド１００内への気体の流入のために吸気室１０４と流体連通する入口ポート１０８を有するケーシング１０２を含んでいてもよい。一組の吸気弁１１２および１１４は、吸気室１０４から空洞部１２０へ一方向の気体の流れを可能にするために吸気室１０４と空洞部１２０との間に配置される。さらに、一組の排気弁１１６および１１８は、空洞部１２０から排気室１０６へ一方向の気体の流れを可能にするために空洞部１２０と排気室１０６との間に配置される。出口ポート１１０は、排気室１０６と流体連通して、多連弁コンプレッサヘッド１００からの気体の流出を可能にする。
【００１４】
さらに示されるように、多連弁コンプレッサヘッド１００のケーシング１０２は、正面１２４、背面１２６、左側面１２８、右側面１３０、頂面１３２、および底面１３４を含んでいてもよい。さらに、正面プレート１３１は、ケーシング１０２の頂面１３２を覆ってもよく、他方、背面プレート１３４は、ケーシング１０２の底面１３３を覆ってもよい。一部の実施形態では、入口ポート１０８および出口ポート１１０は、正面１２４から外側に延びていてもよい。しかしながら、その他の実施形態では、入口ポート１０８および出口ポート１１０は、ケーシング１０２の背面１２６から延びていてもよい。さらに示されるように、入口ポート１０８は、Ｏリングなどの封止要素１２２を係合するように構成される凹部１２１を含んで、入口ポート１０８と、人工呼吸器への接続部分（図示せず）との間に液密の封止部を提供する。同様に、出口ポート１１０は、封止要素１２２を係合するように構成される凹部１２１を含んで、出口ポート１１０と、人工呼吸器への接続部分との間に液密の封止部を提供する。一実施形態では、ケーシング１０２は、鉄、アルミニウム、亜鉛、黄銅合金、銅およびこれらの組み合わせなどの金属材料から作られていてもよく、他方、その他の実施形態では、ケーシング１０２は、ポリカーボネート、アクリロニトリル・ブタジエン・スチレン（ＡＢＳ）、ポリエチレン、ポリスチレン、ポリ塩化ビニルおよびポリテトラフルオロエチレンなどの硬質プラスチック材料から作られていてもよい。
【００１５】
図８を参照すると、吸気弁１１２および１１４のそれぞれは、個々の複数の導管１４４を含み、それぞれが、吸気室１０４から一方向の気体の流入を可能にするための第１の開放端１４６と、空洞部１２０（図３）内へ一方向の気体の排出を可能にするための第２の開放端１４８とを有する。可撓性フラッパ部分などの閉位置に付勢された弁１３６は、複数の導管１４４の個々の第２の開放端１４８に動作可能に係合され、このことは、吸気室１０４から空洞部１２０への一方向の気体流を可能にするが、空洞部１２０から吸気室１０４内に戻る反対向きの気体流を阻止する。これは、一方の流れ方向では、周縁端部で上方に持ち上がり、反対の流れ方向では、第２の開放端１４８に寄せて、周縁端部で下方に閉じるというフラッパ部の可撓性の性質に因る。一実施形態では、各閉位置に付勢された弁１３６の中心部は、各個々の吸気弁１１２および１１４に固定されて、気体が吸気室１０４から、そして空洞部１２０内へ排出される際に、各閉位置に付勢された弁１３６の周囲が上方に持ち上がるのを可能にする。反対に、閉位置に付勢された弁１３６は、複数の導管１４４に対する液密の封止部を維持して、空洞部１２０から吸気室１０４内に戻る気体の逆流を阻止する。
【００１６】
図９を参照すると、吸気弁１１２および１１４と同様に、排気弁１１６および１１８のそれぞれは、個々の複数の導管１４５を含み、それぞれが、吸気室１０４から一方向の気体の流入を可能にするための第１の開放端１４７と、空洞部１２０内へ一方向の気体の排出を可能にするための第２の開放端１４９とを有する。上述と同様の可撓性フラッパ部分などの個々の閉位置に付勢された弁１３８は、複数の導管１４５の個々の第２の開放端１４９に動作可能に係合され、このことは、空洞部１２０から排気室１０６への一方向の気体流を可能にするが、排気室１０６から空洞部１２０内に戻る気体の逆流を阻止する。一実施形態では、各フラッパ部１３８の中心部は、各個々の排気弁１１６および１１８に固定されて、圧縮気体が空洞部１２０から、そして排気室１０６内へ排出される際に、各フラッパ部１３８の周囲が上方に持ち上がるのを可能にする。反対に、フラッパ部１３８は、複数の導管１４５に対する液密の封止部を維持して、排気室１０６から空洞部１２０内に戻る気体の逆流を阻止する。
【００１７】
別の実施形態では、吸気弁１１２および１１４ならびに排気弁１１６および１１８は、フラッパ部１３６および１３８以外の個々のばね負荷式の弁、または吸気弁１１２および１１４ならびに排気弁１１６および１１８を閉位置に付勢して、一方向の流れを可能にする、その他の同様の機構を含んでもよい。
【００１８】
振り返って図４および図５を参照すると、気体の流れは、気体流Ｂとして示されているが、多連弁コンプレッサヘッド１００を通る気体の流れ経路を示す。具体的には、気体流Ｂは、入口ポート１０８を介して吸気室１０４に流入した後、空洞部１２０に流入するため、一方向吸気弁１１２および１１４のそれぞれに流入し得る。一旦空洞部１２０内に入ると、気体流Ｂは、ダイヤフラム（図示せず）の往復動作によって、一組の一方向排気弁１１６および１１８を通って排気室１０６内に押し出される。一実施形態では、ダイヤフラムは、ダイヤフラムを空洞部１２０に対して往復動作で動かすピストンに動作可能に係合されてもよい。吸気工程の間、空洞部１２０から離れる往復運動するダイヤフラムの動きは、気体流Ｂを吸気室１０４から、そして吸気弁１１２および１１４を通って空洞部１２０内へと吸い込み、他方、排気工程の間、空洞部１２０に近づくダイヤフラムの動きは、圧縮気体を空洞部１２０から排気弁１１６および１１８を通るよう強制して、気体流Ｂが排気室１０６に流入するようにする。排気室１０４内への流入後、気体流Ｂは、毎分４−９リットルの流量で人工呼吸器を介して患者へ送達するために、出口ポート１１０を通って排出される。
【００１９】
図１０を参照すると、流れ図は、上述のような多連弁コンプレッサヘッド１００を製造する方法を示している。ブロック１０００では、吸気室１０４と排気室１１８とを有するケーシング１０２を形成する。ブロック１００２では、吸気室１０４と連通する入口ポート１０８と、排気室１１８と連通する出口ポート１１０とを形成する。ブロック１００４では、吸気室１０４と排気室１１８との間に一組の吸気弁１１２および１１４を形成する。ブロック１００６では、吸気室１０４と排気室１１８との間に一組の排気弁１１６および１１８を形成する。一部の実施形態では、ケーシング１０２、吸気室１０４、排気室１１８、入口ポート１０８および出口ポート１１０は、ダイキャストプロセス、または成形プロセス、またはフライス加工プロセス、またはこれらの組み合わせを用いて製造されてもよい。
【００２０】
図１１を参照すると、流れ図は、上述のような多連弁コンプレッサヘッド１００の動作方法を示している。ブロック１１００では、多連吸気弁１１２および１１４ならびに多連排気弁１１６および１１８を有する多連弁コンプレッサヘッド１００は、人工呼吸器に係合される。ブロック１１０２では、気体は、多連弁コンプレッサヘッド１００の入口ポート１０８に流入され、吸気室１０４内に吸い込まれる。ブロック１１０４では、気体は、多連吸気弁１１２および１１４を通って空洞部１２０内に吸い込まれる。ブロック１１０６では、気体は、空洞部１２０で圧縮される。ブロック１１０８では、圧縮気体が多連排気弁１１６および１１８を通り、排気室１０６内まで強制され、次いで、ブロック１０１０では、圧縮気体があれば、排気室１０６から出口ポート１１０を通るよう強制される。
【００２１】
上記の内容から、特定の実施形態を図示および説明してきたが、当業者にとって明らかであるように、本発明の精神および範囲から逸脱することなしに、これに対して様々な変形がなされ得ることを理解されたい。このような変更および変形は、本明細書に添付の特許請求の範囲に定義される本発明の教示の範囲内である。
【図１Ａ】
2014525543.tif 000003
【図１Ｂ】
2014525543.tif 000004
【図２】
2014525543.tif 000005
【図３】
2014525543.tif 000006
【図４】
2014525543.tif 000007
【図５】
2014525543.tif 000008
【図６】
2014525543.tif 000009
【図７】
2014525543.tif 000010
【図８】
2014525543.tif 000011
【図９】
2014525543.tif 000012
【図１０】
2014525543.tif 000013
【図１１】
2014525543.tif 000014
【国際調査報告】
2014525543.tif 000015